(57)【要約】  光源からの光を対物レンズを介して試料へ入射させ、当該対物レンズを介して試料を観察する顕微鏡は、光源と対物レンズとの間の光路中であって対物レンズの像側焦点面あるいはその共役面と共役な位置に配置された微小開口部と、微小開口部を介して光源からの光を試料に対してブリュースター角度で入射させるように微小開口部の位置を調整する位置調整手段と、光源と対物レンズとの間の光路中に配置されており光源からの光より直線偏光を取り出し、直線偏光の光を試料に照射する偏光素子とを有する。【特許請求の範囲】
【請求項１】
光源からの光を対物レンズを介して試料へ入射させ、当該対物レンズを介して前記試料を観察する顕微鏡において、
前記光源と前記対物レンズとの間の光路中であって前記対物レンズの像側焦点面あるいはその共役面と共役な位置に配置された微小開口部と、
前記微小開口部を介して前記光源からの光を前記試料に対してブリュースター角度で入射させるように前記微小開口部の位置を調整する位置調整手段と、
前記光源と前記対物レンズとの間の光路中に配置されており前記光源からの光より直線偏光を取り出し、前記直線偏光の光を前記試料に照射する偏光素子とを有することを特徴とする顕微鏡。
【請求項２】
前記位置調整手段は、前記光源からの光を、ブリュースター角度を含む所定角度範囲内で入射させるべく前記微小開口部を光軸に対して垂直な方向へ位置調整することを特徴とする請求項１に記載の顕微鏡。
【請求項３】
前記位置調整手段は、前記光源からの光を、ブリュースター角度を含む所定角度範囲内で入射させるべく前記微小開口部を光軸に対して回転方向に位置調整することを特徴とする請求項１に記載の顕微鏡。
【請求項４】
前記偏光素子は、前記直線偏光の光としてＰ偏光あるいはＳ偏光に切換えることを特徴とする請求項１に記載の顕微鏡。
【請求項５】
前記位置調整手段は、前記試料に対して前記光源からの光を全反射角度で入射させるべく前記微小開口部を光軸に対して垂直な方向へ位置調整でき、
前記光源からの光を前記試料に対して前記ブリュースター角度又は前記全反射角度を切り換えて入射させて観察を行うことを特徴とする請求項２に記載の顕微鏡。
【請求項６】
前記微小開口部よりも開口の大きな落射照明用の開口絞りと、
前記微小開口部と前記開口絞りとを光路内へ切り換えて前記開口絞りを光軸上に配置する切換手段とを有することを特徴とする請求項１に記載の顕微鏡。
【請求項７】
前記位置調整手段は、前記試料と接する面に金属の薄膜が形成されているカバーグラスを用いた際に前記試料と前記金属の薄膜との間で表面プラズモン共鳴が生じる角度で前記光源からの光を前記試料に対して入射させるべく、前記微小開口部を光軸に対して垂直な方向へ位置調整することを特徴とする請求項２に記載の顕微鏡。
【請求項８】
前記微小開口部は、ピンホール又は光軸を中心とする円弧状のスリットであることを特徴とする請求項１に記載の顕微鏡。
【請求項９】
前記微小開口部は、光軸を中心とする同一円周上に複数個設けられていることを特徴とする請求項１に記載の顕微鏡。
【請求項１０】
前記微小開口部は、光軸を中心に回転可能に設けられていることを特徴とする請求項１に記載の顕微鏡。
【請求項１１】
レーザー光源からのレーザー光を対物レンズを介して試料へ入射させ、当該対物レンズを介して前記試料を観察する顕微鏡であって、
前記レーザー光源と前記対物レンズとの間の光路中に配置されており前記レーザー光から直線偏光を取り出す偏光素子を有し、
前記レーザー光源は、前記レーザー光の集光点が前記対物レンズの瞳と共役な位置に配置されており、かつ前記レーザー光が前記試料に対してブリュースター角度で入射させる位置にあることを特徴とする顕微鏡。
【請求項１２】
前記レーザー光源は、前記レーザー光をブリュースター角度で入射させるべく、前記レーザー光の集光点を光軸に対して垂直な方向へ位置調整することが可能であることを特徴とする請求項１１に記載の顕微鏡。
【請求項１３】
前記レーザー光源は、前記試料に対して前記レーザー光を全反射角度で入射させるべく、前記レーザー光の射出位置を光軸に対して垂直な方向へ位置調整することが可能であり、
前記レーザー光を前記試料に対して前記ブリュースター角度又は前記全反射角度を切り換えて入射させて観察を行うことを特徴とする請求項１２に記載の顕微鏡。
【請求項１４】
前記レーザー光源は、前記試料と接する面に金属の薄膜が形成されているカバーグラスを用いた際に前記試料と前記金属の薄膜との間で表面プラズモン共鳴が生じる角度で前記レーザー光を前記試料に対して入射させるべく、前記レーザー光の射出位置を光軸に対して垂直な方向へ位置調整することが可能であることを特徴とする請求項１２又は１３に記載の顕微鏡。
【請求項１５】
前記レーザー光源は、光軸を中心とする同一円周上に前記レーザー光の射出位置を複数個備えていることを特徴とする請求項１１に記載の顕微鏡。
【請求項１６】
前記レーザー光源は、前記レーザー光の射出位置を光軸を中心に回転可能であることを特徴とする請求項１１に記載の顕微鏡。
【請求項１７】
さらに、前記偏光素子と前記対物レンズとの間の光路中に配置された１／４波長板と、検光子とを、光軸を中心に回転可能でかつ光路内へ挿脱可能に有し、
前記１／４波長板と前記検光子とを光路内へ配置し、かつ前記偏光素子が前記光源からの光のうち前記試料への前記光源からの光の入射面に対して振動方向が４５度の直線偏光のみを通過させるように設定することで、前記試料の偏光解析に用いることもできることを特徴とする請求項１に記載の顕微鏡。
【請求項１８】
光源からの光を対物レンズを介して試料へ入射させ、当該対物レンズを介して前記試料を観察する顕微鏡において、
前記光源と前記対物レンズとの間の光路中であって前記対物レンズの像側焦点面あるいはその共役面の近傍に配置されており、かつ前記光源からの光を前記試料に対して略ブリュースター角度で入射させる円弧形状の微小開口部と、
前記光源と前記対物レンズとの間の光路中に配置されており前記光源からの光より直線偏光を取り出す偏光素子とを有し、
前記円弧形状の微小開口部が、以下の条件式を満足することを特徴とする顕微鏡。
δｒ≦０．０６×ｆ
φ≦２０°
但し、
δｒ：前記円弧形状の微小開口部の半径方向の幅
ｆ  ：前記対物レンズの焦点距離
φ  ：前記円弧形状の微小開口部の中心角
【請求項１９】
前記円弧形状の微小開口部よりも開口の大きな落射照明用の開口絞りと、
前記円弧形状の微小開口部と前記開口絞りとを光路内へ切り換えて前記開口絞りを光軸上に配置する切換手段とを有することを特徴とする請求項１８に記載の顕微鏡。
【請求項２０】
光軸を中心とする略同一円周上に複数の前記円弧形状の微小開口部を有し、
複数の前記円弧形状の微小開口部のそれぞれに偏光板を備え、前記偏光板はそれぞれ対応する微小開口部の略中心と光軸とを結ぶ直線に対して、平行又は垂直又は４５°であることを特徴とする請求項１８に記載の顕微鏡。
【請求項２１】
複数の前記円弧形状の微小開口部は、それぞれ独立に半径方向へ移動可能に設けられていることを特徴とする請求項２０に記載の顕微鏡。
【請求項２２】
前記円弧形状の微小開口部、又は、複数の前記円弧形状の微小開口部と前記偏光板は、光軸を中心として高速回転可能に設けられていることを特徴とする請求項１８に記載の顕微鏡。
【請求項２３】
前記光源と前記対物レンズとの間の光路中に、回転拡散板を備えていることを特徴とする請求項１８に記載の顕微鏡。
【発明の詳細な説明】
【技術分野】
【０００１】
本発明は、顕微鏡に関する。
【背景技術】
【０００２】
＜ブリュースター顕微鏡＞
ブリュースター角においてｐ偏光の反射率が０になることは１９世紀より知られており、この現象を利用すれば単分子膜の観察が行えることが１９９１年にＤｉｒｋ  ＨｏｎｉｇとＤｉｅｔｍａｒ  Ｍｏｂｉｕｓ及びＳ．ＨｅｎｏｎとＪ．Ｍｅｕｎｉｅｒによって報告されて、薄膜の反射率分布をイメージングする研究が活発化している。
これまでに、液体上の気−液界面で展開されたＬａｎｇｍｕｉｒ単分子膜の２次元構造の観察やＬａｎｇｍｕｉｒ単分子膜の配向分布の観察、混合されたＬａｎｇｍｕｉｒ単分子膜の相分離の観察、基板面上に作製されたＬＢ膜の観察等、主に単分子膜の構造観察に利用されている。現在ではイメージング装置も市販されており、半導体製造工程での薄膜の評価や、ＤＮＡ検出に用いられるＤＮＡマイクロアレイの製品検査等で利用されている。
これらの手法では、レーザ光を界面に対して入射角がブリュースター角になるようにレーザビームを傾け、界面で正反射した光を正反射方向に設置した結像レンズを通して結像して像観察を行う構成になっている（例えば、アルテックアルト株式会社、“ＢＡＭブリュースター角顕微鏡”、［ｏｎｌｉｎｅ］、［平成１７年５月２３日検索］、インターネット＜ＵＲＬ：ｈｔｔｐ：／／ｗｗｗ．ｋｓｖ．ｊｐ／ｂａｍ＿０１．ｈｔｍｌ＞を参照。）。このようにした場合、観察レンズが薄膜試料に対して傾いた方向から観察するようになるため、一度に観察できる領域がスリット状に制限される。そこでこれらの装置では光の照射位置を試料上で１次元方向に走査して全体の画像を得る構成となっている。
＜表面プラズモン顕微鏡＞
金属表面近傍の自由電子の集団的縦波振動である表面プラズモンは可視域の光を用いて励起できることがＯｔｔｏ及びＫｒｅｔｃｈｍａｎｎによって実験的に証明され、金属薄膜近傍の分子を検出するのに用いられている。
表面プラズモン共鳴は、入射光と表面プラズモンとの共鳴現象（表面プラズモン−ポラリトン（ｐｏｌａｒｉｔｏｎ））であり、入射光が持つ金属表面方向の波数ベクトルと表面プラズモンの波数ベクトルが一致した場合に入射光と表面プラズモンが同じ速度で縦波振動しながら進行することで起こる共鳴現象である。
金属表面のプラズモンの波数は媒質側の物質中を進行する光の波数よりも大きくなるので、表面プラズモン共鳴を起こさせるには金属表面上でエバネッセント場となる必要がある。そのため金属膜を付けた基板の裏面より全反射角以上の角度で光を入射し（Ｋｒｅｔｃｈｍａｎｎ配置）、金属表面上にエバネッセント場が生じる状態として入射角を微調整することで表面プラズモン共鳴を起こすことができる。表面プラズモン共鳴が起きると入射した光のエネルギーはジュール損として金属膜中で損失するので反射光の強度が激減する。そのため入射角を変化させながら反射率を測定することで表面プラズモン共鳴現象を観察することができる（表面プラズモン・スペクトロスコピー）。
また表面プラズモンの波数は接している媒質の誘電率と厚さに大きく依存するので、表面プラズモン共鳴現象を観察する（表面プラズモン・スペクトロスコピー）ことで媒質の誘電率と厚さに関する情報を得ることができる。そのため、金属膜への物質の吸着現象の計測やタンパク質相互作用の計測等に用いられている。
さらにこの原理に基づいて金属表面の各点の反射率を計測することで金属薄膜近傍の分子の分布をイメージングする試みが、１９８８年にＷ．ＨｉｃｋｅｌとＷ．Ｋｎｏｌｌによって初めてなされた（表面プラズモン顕微鏡）。その後、金属膜上に形成された脂質分子膜の高解像度観察、ＤＮＡハイブリダイゼーションの実時間観察、ＤＮＡ−タンパク質間相互作用の計測等が行われている。
しかしながら、上述のブリュースター顕微鏡や表面プラズモン顕微鏡は、照明光を試料に対してブリュースター角度や表面プラズモン共鳴を起こすための角度等の大きな入射角度で照射する必要があるため、試料における構造や屈折率が大きく変化する部位で干渉縞が発生してしまい、また、観察像の背景は暗黒に近いためＳ／Ｂ比（シグナル／バックグラウンド比）が高く、わずかな干渉縞でも非常に目立ちやすいという問題がある。
【発明の開示】
【０００３】
上記課題を解決するために本発明の第１の態様は、
光源からの光を対物レンズを介して試料へ入射させ、当該対物レンズを介して前記試料を観察する顕微鏡において、
前記光源と前記対物レンズとの間の光路中であって前記対物レンズの像側焦点面あるいはその共役面と共役な位置に配置された微小開口部と、
前記微小開口部を介して前記光源からの光を前記試料に対してブリュースター角度で入射させるように前記微小開口部の位置を調整する位置調整手段と、前記光源と前記対物レンズとの間の光路中に配置されており前記光源からの光より直線偏光を取り出し、前記直線偏光の光を前記試料に照射する偏光素子とを有することを特徴とする。
また本発明の第２の態様は、
レーザー光源からのレーザー光を対物レンズを介して試料へ入射させ、当該対物レンズを介して前記試料を観察する顕微鏡であって、
前記レーザー光源と前記対物レンズとの間の光路中に配置されており前記レーザー光から直線偏光を取り出す偏光素子を有し、
前記レーザー光源は、前記レーザー光の集光点が前記対物レンズの瞳と共役な位置に配置されており、かつ前記レーザー光が前記試料に対してブリュースター角度で入射させる位置にあることを特徴とする顕微鏡を提供する。
本発明の前記態様によれば、試料、特に培養液に浸されている細胞に対しても照明光をブリュースター角で適切に入射させ、試料の固液界面に存在する高分子化合物やタンパク質等の偏光依存性のある物質を高分解能で観察可能な顕微鏡を提供することができる。
また、本発明の第３の態様は、
光源からの光を対物レンズを介して試料へ入射させ、当該対物レンズを介して前記試料を観察する顕微鏡において、
前記光源と前記対物レンズとの間の光路中であって前記対物レンズの像側焦点面あるいはその共役面の近傍に配置されており、かつ前記光源からの光を前記試料に対して略ブリュースター角度で入射させる円弧形状の微小開口部と、
前記光源と前記対物レンズとの間の光路中に配置されており前記光源からの光より直線偏光を取り出す偏光素子とを有し、
前記円弧形状の微小開口部が、以下の条件式を満足することを特徴とする顕微鏡を提供する。
δｒ≦０．０６×ｆ
φ≦２０°
但し、
δｒ：前記円弧形状の微小開口部の半径方向の幅
ｆ  ：前記対物レンズの焦点距離
φ  ：前記円弧形状の微小開口部の中心角
【図面の簡単な説明】
【０００４】
図１は、本発明の第１実施形態に係る倒立顕微鏡の構成を示す全体側面図である。
図２は、本発明の第１実施形態に係る倒立顕微鏡の構成を示す全体上面図である。
図３Ａ−３Ｃは、本発明の第１実施形態における落射照明装置の構成を示す図である。
図４は、本発明の第１実施形態に係る倒立顕微鏡によって、照明光をブリュースター角で照射して試料を観察する様子を示す図１のＡ−Ａ拡大断面図である。
図５は、本発明の第１実施形態に係る倒立顕微鏡によって、表面プラズモン効果を利用して試料を観察する様子を示す図１のＡ−Ａ拡大断面図である。
図６は、本発明の第２実施形態に係る倒立顕微鏡の構成を示す全体側面図である。
図７は、本発明の第２実施形態における落射照明装置の構成を示す図である。
図８は、本発明の第２実施形態における落射照明装置の部分拡大図である。
図９は、図３Ｂ，図３Ｃに示すピンホール２８及び微調整機構を示す図である。
図１０Ａ−図１０Ｃは、本発明の実施形態に係る倒立顕微鏡１の開口絞りユニット２０に備えられているスリット２９を示す図である。
図１１は、本発明の実施形態における開口絞りユニット２０のスリット２９の半径方向の幅δｒ＝０のときに、スリット２９を半径方向へ移動させることによって照明光束の入射角度θを変化させた際の背景光と信号光の強度変化を示すグラフである。
図１２は、本発明の実施形態における開口絞りユニット２０のスリット２９の半径方向の幅δｒを変化させた際の角度ばらつきの最大値δθを示すグラフである。
図１３Ａ、図１３Ｂは、本発明の実施形態においてδｒ／ｆ＝０．０３、δｒ／ｆ＝０．０６のときの図１１に相当するグラフ（スリット２９を半径方向に移動させて照明光束の入射角度θを変化させた場合の背景光と信号光の強度変化グラフ）をそれぞれ示している。
図１４は、本発明の実施形態において照明光の入射角度θをブリュースター角度θＢとしてδｒ／ｆを変化させた際の背景光と信号光の強度変化を示すグラフである。
図１５は、本発明の実施形態における開口絞りユニット２０のスリット２９の半径方向の幅δｒを無限小と仮定し、中心角φのみを大きくした際に照明光に含まれるｐ偏光とｓ偏光の強度比を示すグラフである。
図１６は、本発明の実施形態において図１１と同じ条件の試料１５に対して入射角度θを変化させながら照明光を入射させた際のｐ偏光及びｓ偏光の強度反射率を示すグラフである。
【発明を実施するための最良の形態】
【０００５】
以下、本発明の各実施形態に係る倒立顕微鏡を添付図面に基づいて説明する。
（第１実施形態）
図１及び図２は、本発明の第１実施形態に係る倒立顕微鏡の構成を示す全体側面図及び上面図である。
図１に示すように本実施形態に係る倒立顕微鏡１は、顕微鏡ベース２と、顕微鏡ベース２上方に設けられた透過照明装置３と、接眼観察鏡筒４と、顕微鏡ベース２側方に備えられた落射照明装置５とからなる。
顕微鏡ベース２の上面には試料を載置するためのステージ６が備えられている。そして顕微鏡ベース２内部には、ステージ６側から下方へ向かって順に、高開口数の液浸対物レンズ７と、ブロック切換ユニット８と、光路切換ユニット９とが備えられている。また、図２に示すように、顕微鏡ベース２における図１と反対側の側面には、ＣＣＤカメラ１０が備えられている。
ブロック切換ユニット８は、ビームスプリッタ１１と蛍光フィルタブロック１２とを備えており、軸８ａを中心に回転させることでこれらを選択的に光路内へ配置することができる。なお、蛍光フィルタブロック１２は、ダイクロイックミラー１２ａ、励起フィルタ１２ｂ、及び吸収フィルタ１２ｃからなり、蛍光観察を行う際に用いられる。
また、光路切換ユニット９は、ハーフプリズム１３と全反射プリズム１４とを備えており、軸９ａを中心に回転させることでこれらを選択的に光路内へ配置することができる。これにより、試料１５からの像をＣＣＤカメラ１０及び接眼観察鏡筒４、又はＣＣＤカメラ１０のみへ選択的に導くことができる。
図３Ａ−３Ｃは、本発明の第１実施形態における落射照明装置の構成を示す拡大図である。
図３Ａに示すように、本実施形態における落射照明装置５は、光源からの光を上述のブロック切換ユニット８へ導き、対物レンズ７を介して試料１５へ照射するための照明装置であって、光源として配置された水銀ランプ１６から順に、コレクタレンズ１７と、レンズ１８，１９と、対物レンズ７の後側焦点面あるいはその後側焦点面と共役な面に配置された開口絞りユニット２０と、レンズ２１と、ミラー２２と、レンズ２３と、試料面に対して共役な視野絞り２４と、ポラライザーユニット２５と、レンズ２６とを有する。
開口絞りユニット２０は、開口絞り２７、微小開口部として直径の小さなピンホール２８及び光軸ＡＸを中心とする円弧形状のスリット２９を有し、これらは図３Ａ中上下方向へスライド可能に設けられており、使用者は不図示の操作ツマミでスライドさせることで選択的に切り換えて光路内へ配置することができる。なお、開口絞り２７は光路内へ配置された際には光軸ＡＸ上に位置し、ピンホール２８及びスリット２９よりも開口が大きい通常の落射照明用の開口絞りである。
なお、対物レンズの像側焦点面の光軸方向位置は対物レンズの種類によって若干異なるため、複数種類の対物レンズを切り替えて観察する場合等には、開口絞り２７及びスリット２９が各対物レンズの像側焦点面と共役関係を保つような調整機構が必要となる。調整方法としては開口絞りユニット２０を光軸方向に移動させても良いが、本実施形態ではレンズ２６を光軸方向に移動させる方法によって調整を行う。その場合開口絞り２７及びスリット２９はレンズ２６の調整巾の範囲で対物レンズの像側焦点面と共役な面の近傍に配置されていればよい。対物レンズの種類に応じてレンズ２６を光軸方向に移動させることにより、開口絞り２７及びスリット２９は調整誤差の範囲内で常に対物レンズの像側焦点面との共役関係を保つことができる。
斯かる開口絞りユニット２０には、後述する微調整機構が備えられており、光軸に対して垂直な平面内においてピンホール２８及びスリット２９と光軸との距離を微調整することができる。これにより、対物レンズ７の後側焦点面内における位置、あるいはそのその後側焦点面と共役な面内における位置を調整することが可能となり、即ち試料１５に対する照明光の入射角度を調整してブリュースター角及びその近傍での照明や全反射照明を行うことが可能となる。なお、ブリュースター角近傍での照明範囲としては、少なくともブリュースター角±１０°が望ましい。
ここで、図３Ｂに示すようにピンホール２８は直径の小さなピンホールであり、スリット２９は光軸ＡＸを中心とする円弧形状のスリットである。このため、前述のようにブリュースター角での照明や全反射照明等を行う際には、ピンホール２８を選択すれば高いコントラストの観察像が得られ、スリット２９を選択すれば明るい観察像が得られる。
また、ピンホール２８及びスリット２９は、光軸ＡＸを回転中心として回転可能に設けられている。これにより、観察される試料１５の像に対してコントラストをつける方向を変更することができる。
さらに、ピンホール２８及びスリット２９は、一定の速度で連続して回転させることも可能に設けられている。これにより、コントラストの方向性がない試料１５の像を観察することができる。特に、本実施形態では回転周期がビデオレート以下に設定されており、ＣＣＤカメラ１０においてリアルタイムでコントラストの方向性がない試料画像を得ることができる。
ピンホール２８及びスリット２９は、光軸を中心とする円周上に複数個備える構成、特に図３Ｃに示すようにそれぞれ２つのピンホール２８及びスリット２９が光軸ＡＸを中心に対向して備えられる構成とすることもできる。これにより、ブリュースター角での照明や全反射照明等を行う際に、光軸ＡＸを挟んで試料１５を両側から照明することとなるため、照明方向の偏りを解消することができる。
ここで、図９は上述の図３Ｂ、図３Ｃに示すピンホール２８及び前述の微調整機構を示す図であり、図１０Ａ、１０Ｂは上述の図３Ｂ、図３Ｃに示すスリット２９及び前述の微調整機構を示す図である。なお、図９及び図１０Ａ、１０Ｂには、第１，２実施形態における後述の照明光（直線偏光）の振動方向も示されている。
図９に示すように、ピンホール２８と小判形の開口２８ａとが光軸ＡＸを挟むようにそれぞれ形成された２枚のプレートが、互いのピンホール２８と開口２８ａとが対向するように重ねられている。そしてこの２枚のプレートを、互いのピンホール２８と開口２８ａとを対向させたままで、かつそれぞれのピンホール２８と光軸ＡＸとの距離が等しくなるように相対的にスライドさせることで、光軸ＡＸに対して垂直な平面内においてピンホール２８と光軸ＡＸとの距離を微調整することができる。また、この２枚のプレートには光軸ＡＸを中心に回転可能なシャッタ板２８ｂがさらに備えられており、これによりピンホール２８の個数（１つ又は２つ）を任意に選択できるようになっている。また、この２枚のプレートは、光軸ＡＸを中心に一体的に回転可能に設けられており、これによりピンホール２８の位置を光軸ＡＸを中心に回転させることができる。なお、図１０Ｃに示すスリット２９及び微調整機構は、図９に示す開口２８ａ及びシャッタ板２８ｂに対応する開口２９ａ及びシャッタ板２９ｂが備えられており、図９の構成と同様であるため説明を省略する。
ポラライザーユニット２５は、ポラライザー（偏光素子）３０及び中空穴３１を有し、これらは図３Ａ中左右方向へスライド可能に設けられており、選択的に切り換えて光路内へ配置することができる。ポラライザー３０は、照明光のうちの直線偏光のみを透過させる、いわゆる振動方向水平のポラライザーである。
以上の構成の本実施形態に係る倒立顕微鏡１を用い、試料１５に照明光をブリュースター角で照射して行う観察（以下、「ブリュースター観察」という。）、表面プラズモン共鳴の効果を利用した観察（以下、「表面プラズモン観察」という。）、全反射照明による観察等を行うことができる。これらの観察について以下に述べる。
本倒立顕微鏡１によってブリュースター観察を行う場合、顕微鏡ベース２において、ブロック切換ユニット８中のビームスプリッタ１１を光路内へ配置し、光路切換ユニット９中の全反射プリズム１４を光路内へ配置する（なお、同時に接眼観察を行う場合にはプリズム１３を選択すればよい。）。また、落射照明装置５において、開口絞りユニット２０中のピンホール２８を光路内へ配置し（なお、観察像の明るさを重視する場合にはスリット２９を選択すればよい。）、ポラライザーユニット２５中のポラライザー３０を光路内へ配置する。
以上の設定の落射照明装置５において、水銀ランプ１６から発せられた光はレンズ１８，１９を介してピンホール２８を通過し、さらにレンズ２１、ミラー２２、レンズ２３、視野絞り２４を介してポラライザー３０へ入射する。この光のうちの直線偏光のみがポラライザー３０を透過し、レンズ２６を介して顕微鏡ベース２のビームスプリッタ１１へ導かれる。そしてこの光はビームスプリッタ１１によって対物レンズ７へ導かれ、図４に示すように対物レンズ７中を進行し、試料１５に対して（詳しくは後述の細胞３５とカバーグラス３６との境界面に対して）ブリュースター角でもって入射する（図４中、照明光３７として示す。）。
図４は、本発明の第１実施形態に係る倒立顕微鏡によって、照明光をブリュースター角で照射して試料を観察する様子を示す図１Ａ−Ａ拡大断面図である。本ブリュースター観察の試料１５には、例えば細胞が用いられ、図４に示すように細胞３５を載せたカバーグラス３６上に、底部に開口を備えたペトリディッシュ３８を配置して培養液３９で満たしたものを用いることで、温度や二酸化炭素濃度等の環境条件を還流装置で適切に保持しながら、数時間から数日間にわたって生きたままの細胞を観察することが可能となる。また、上述のように対物レンズ７は高開口数の液浸対物レンズであって、カバーグラス３６の下側に近接して配置され、該カバーグラス３６とレンズ先端との間はオイル４０で満たされている。
ここで、細胞３５に対する照明光の入射角度θは、落射照明装置５におけるピンホール２８の位置を前述の微調整機構によって調整することで変更することができる（前述の設定の際にスリット２９を選択している場合はスリット２９位置を調整する。）。これにより、本ブリュースター観察において、入射角度θをブリュースター角及びその近傍に設定することができる。
前述のようにして照明された細胞３５からの反射光４１は、対物レンズ７中を進行し、ビームスプリッタ１１及び全反射プリズム１４を介してＣＣＤカメラ１０へ導かれる。このようにしてＣＣＤカメラ１０において観察画像が得られ、細胞３５をブリュースター観察することができる。なお、このブリュースター観察では、細胞を構成する物質或いは固液界面に存在する偏光依存性のある物質、例えば高分子化合物やタンパク質の界面近傍の形態を観察することができる。
ここで、細胞３５が蛍光染色されたものである場合には、顕微鏡ベース２におけるビームスプリッタ１１を蛍光フィルタブロック１２に切り換えることで、細胞３５から発せられた蛍光をＣＣＤカメラ１０へ導くことができ、細胞３５を蛍光観察することができるようになる。即ち、ビームスプリッタ１１と蛍光フィルタブロック１２の切り換えによって、ブリュースター観察と、斜光照明による細胞３５の蛍光観察とを切り換えて同時に行うことができる。なお、この斜光照明による蛍光観察には、細胞における厚み方向へ深い箇所の観察を行うことができるという利点がある。
本倒立顕微鏡１によって表面プラズモン観察を行う場合には、上述のブリュースター観察と同様に試料１５として細胞を用い、図５に示すように細胞３５との接触面に元素記号Ａｕ、Ｃｒ、Ａｇ、Ａｌの金合金の薄膜（本実施形態においては膜厚５０ｎｍ程度の金薄膜）４３を形成したカバーグラス４４を使用する。また、光源の波長は、前記薄膜の主成分が金の場合では、５００ｎｍより長い波長域（λ＝５００ｎｍ〜１，１００ｎｍ程度、実際には６００ｎｍ以上で用いることが多い。）のものが用いられ、主成分が銀の場合では、５００ｎｍより短い波長域（λ＝３８０ｎｍ〜５００ｎｍ程度）のものが用いられる。図５は、本発明の第１実施形態に係る倒立顕微鏡によって、表面プラズモン共鳴の効果を利用して試料を観察する様子を示すＡ−Ａ拡大断面図である。
また、顕微鏡ベース２及び落射照明装置５は、上述のブリュースター観察と同様に設定する。そして、落射照明装置５におけるピンホール２８の位置を調整し、細胞３５に対する照明光の入射角度θを、細胞３５と金薄膜４３との境界面において表面プラズモン共鳴が起こる角度（本実施形態においては全反射の起こる角度）に設定する。
以上の構成の下で照明された細胞３５からの反射光４１は、上述のブリュースター観察と同様に、対物レンズ７、ビームスプリッタ１１、及び全反射ミラー１４を介してＣＣＤカメラ１０へ導かれる。このようにしてＣＣＤカメラ１０において観察画像が得られ、細胞３５を表面プラズモン観察することができる。なお、この表面プラズモン観察では、細胞を構成する物質或いは固液界面に存在する偏光依存性のある物質、例えば高分子化合物やタンパク質の構造変化を観察することができる。
ここで、細胞３５が蛍光染色されたものである場合には、顕微鏡ベース２におけるビームスプリッタ１１を蛍光フィルタブロック１２に切り換えることで、細胞３５から発せられた蛍光をＣＣＤカメラ１０へ導くことができ、細胞３５を蛍光観察することができるようになる。即ち、ビームスプリッタ１１と蛍光フィルタブロック１２の切り換えによって、表面プラズモン観察と、斜光照明（ここでは全反射照明）による細胞３５の蛍光観察とを切り換えて同時に行うことができる。
本倒立顕微鏡１によって全反射照明による観察を行う場合には、顕微鏡ベース２において、ブロック切換ユニット８中の蛍光フィルタブロック１２を光路内へ配置し、落射照明装置５を上述のブリュースター観察と同様に設定し、試料１５として蛍光染色した細胞を用いる。そして、落射照明装置５におけるピンホール２８の位置を調整し、試料１５に対する照明光の入射角度θを、細胞とカバーグラスとの境界面において全反射の起こる角度に設定する。
以上の構成の下で照明された試料１５から発せられた蛍光は、上述のブリュースター観察と同様に、対物レンズ７、蛍光フィルタブロック１２、及び全反射ミラー１４を介してＣＣＤカメラ１０へ導かれる。このようにしてＣＣＤカメラ１０において観察画像が得られ、試料１５の全反射照明による蛍光観察を行うことができる。
さらに、本倒立顕微鏡１は、顕微鏡ベース２において、ブロック切換ユニット８中の蛍光フィルタブロック１２を光路内へ配置し、光路切換ユニット９中の全反射ミラー１４を光路内へ配置し、さらに落射照明装置５において、開口絞りユニット２０中の開口絞り２７を光路内へ配置し、ポラライザーユニット２５中の中空穴３１を光路内へ配置する。
以上の設定の落射照明装置５において、水銀ランプ１６から発せられた光は、落射照明装置５における上記各部材を介して顕微鏡ベース２の蛍光フィルタブロック１２へ導かれる。そしてこの光は蛍光フィルタブロック１２によって対物レンズ７へ導かれ、対物レンズ７を介して試料１５へ入射する。
このようにして照明された試料１５から発せられた蛍光は、再び対物レンズ７、蛍光フィルタブロック１２、及び全反射ミラー１４を介してＣＣＤカメラ１０へ導かれる。このようにしてＣＣＤカメラ１０において観察画像が得られ、試料１５の通常の落射蛍光観察を行うことができる。
さらに、本倒立顕微鏡１は、上述のように透過照明装置３及び接眼観察鏡筒４を備えているため、試料１５を透過照明して観察することも、蛍光観察以外の上記各観察において肉眼観察を行うこともできる。
なお、本倒立顕微鏡１では、上述のように落射照明装置５の光源として水銀ランプ１６を備えている。しかしながら本発明はこれに限られず、落射照明装置５の光源としてレーザー光源（レーザー光の集光点が対物レンズの瞳と共役となるように配置したレーザー光源）を用い、開口絞りユニット２０におけるピンホール２８及びスリット２９を省略する構成とすることもでき、これによってより明るい観察像を得ることが可能となる。なお、レーザー光源としては、レーザー光の射出位置を光軸に対して垂直な方向へ位置調整可能なもの（これにより前記集光点を光軸に対して垂直な方向へ位置調整できる。）、さらには、前記射出位置が光軸を中心に回転可能であるもの（これにより前記集光点を光軸を中心に回転させることができる。）や、光軸を中心とする同じ円周上に前記射出位置を複数個備えているもの（これにより前記集光点を複数個配置できる。）が望ましい。また、この構成に加え、落射照明装置５内にスペックル除去光学系、例えばデフューザーを配置することで、画質のより良い観察像を得ることが可能となる。
また、本倒立顕微鏡１は、上述のように顕微鏡ベース２及び落射照明装置５の設定を変更することで、ブリュースター観察、表面プラズモン観察、及び全反射照明による観察の全てを実施できる。しかしながら本発明はこれに限られず、ブリュースター観察のみを行う顕微鏡や、ブリュースター観察と全反射照明による観察を行う顕微鏡等、組み合わせを限定した顕微鏡を構成することも当然可能である。
本倒立顕微鏡１は、上述のように対物レンズ７を試料１５の真下に近接して配置する構成であるため、高開口数の対物レンズを採用することができ、装置の高解像化を実現できる。また、試料１５に対して垂直なこの対物レンズ７を介して試料の像を結ぶ構成であるため、上記従来技術において必要とされていた、ＣＣＤカメラで結像面の傾きを補正するための光学系も不要となる。
また本倒立顕微鏡１は、対物レンズ７を含む光学系や落射照明装置５等をステージ６よりも下方に配置することでステージ６上に自由な空間が確保されているため、ステージ６への試料１５の設置を容易に行うことができ、特に細胞を生きたままで観察したい場合等に効果的である。
（第２実施形態）
以下、本発明の第２実施形態に係る倒立顕微鏡について、上記第１実施形態に係る倒立顕微鏡と同様の構成である部分には同じ符号を付して説明を省略し、特徴的な部分について詳細に説明する。
図６は、本発明の第２実施形態に係る倒立顕微鏡の構成を示す全体側面図である。また、図７及び図８は、本発明の第２実施形態における落射照明装置の構成を示す図及び部分拡大図である。
図６に示すように、本実施形態に係る倒立顕微鏡５０の顕微鏡ベース２には、ビームスプリッタ１１と光路切換ユニット９との間に、光軸を中心に回転調整可能でかつ光路内へ挿脱可能な検光子５１が備えられている。
また、図６及び図７に示すように、本実施形態における落射照明装置５２には、ポラライザーユニット２５とレンズ２６との間に、光軸を中心に回転調整可能でかつ光路内へ挿脱可能な１／４波長板５３が備えられている。さらに本実施形態における偏光素子３０は、光軸を中心に回転調整可能であって、光源１６からの光のうち試料への当該光源１６からの光の入射面に対して振動方向が４５度の直線偏光のみを通過させるように設定することができるようになっている。
以上の構成の下、本実施形態に係る倒立顕微鏡５０において、偏光素子３０を前述の設定とし、検光子５１と１／４波長板５３とを光路内へ配置し、これ以外の顕微鏡要素は上述した第１実施形態のブリュースター観察時の設定と同じに設定する。
これにより、４５度方向に合わせた偏光素子３０を通過させた光をさらに適切な方向に回転させた１／４波長板５３を通過させた後に対物レンズ７に入射して試料１５に照射し、その反射光を適切な方向に回転させた検光子５１を通過させて結像して観察画像を得ることができる。
こうして、試料の一部分に着目して、そこに入射して反射する光について考えると、反射後の光は試料の複素屈折率及び屈折率の異方性、厚さ等の物理的性質によって反射光のｓ偏光とｐ偏光の反射率及びそれらの位相差が変化する。そこで、試料で反射した後に反射光のｓ偏光成分とｐ偏光成分の位相差がπの整数倍になるように１／４波長板５４でｓ偏光とｐ偏光の位相差をつければ、反射後の光は直線偏光となり、適切な回転角に調整した検光子５１で消光することができる。この条件を満たしていないそれ以外の個所では消光されないため、検光子５１通過後の光を結像すると条件を満たした部分は暗く（消光）、それ以外の部分は明るい状態で観察される。したがって、条件を変えることで試料の別の箇所を暗くして観察することができる。
そして、消光して観察されるときの１／４波長板５３の回転角、検光子５１の回転角から、それぞれｓ偏光とｐ偏光の位相差及び振幅反射率の比が求められ、これらを元にその部位の複素屈折率及び異方性を調べることができる。なお、解析手法としては楕円偏光解析で用いられる手法や、文献（Ｓ．Ｈｅｎｏｎ  ａｎｄ  Ｍｅｕｎｉｅｒ，“Ｍｉｃｒｏｓｃｏｐｙ  ａｔ  ｔｈｅ  Ｂｒｅｗｓｔｅｒ  ａｎｇｋｅ：Ｄｉｒｅｃｔ  ｏｂｓｅｒｖａｔｉｏｎ  ｏｆ  ｆｉｒｓｔ−ｏｒｄｅｒ  ｐｈａｓｅ  ｔｒａｎｓｌａｔｉｏｎ  ｉｎ  ｍｏｎｏｌａｙｅｒｓ，”Ｒｅｖ．Ｓｃｉ．Ｉｎｓｔｒｕ．Ｖｏｌ．６２，ｐｐ．９３６−９３９（１９９１）．）で用いられる手法が挙げられる。
したがって本実施形態に係る倒立顕微鏡５０は、上記第１実施形態に係る倒立顕微鏡で実施可能な各観察に加えて、試料の複素屈折率や異方性等を調べるための偏光解析に用いることもできる。
以上の各実施形態によれば、試料、特に培養液に浸されている細胞に対しても照明光をブリュースター角で適切に入射させ、試料の固液界面に存在する高分子化合物やタンパク質等の偏光依存性のある物質を高分解能で観察することができる倒立顕微鏡を実現できる。
次に、本発明において最も特徴的な開口絞りユニット２０に微小開口部として備えられている円弧形状のスリット２９について説明する。
本実施形態に係る倒立顕微鏡１の開口絞りユニット２０に備えられているスリット２９は、以下の設計条件に基づいて設計されている。
はじめに、スリット２９を用いてブリュースター観察を行う場合を想定する。
図１０Ａに示されているスリット２９において、円弧の半径をＲ、半径方向の幅をδｒ、円弧の中心角をφとすれば、円弧の半径Ｒは、試料１５に照射される照明光束の入射角度θが次式（Ａ）で決まるブリュースター角θＢとなるような値に設定することが望ましい。
（Ａ）  θＢ＝ａｔａｎ（ｎｓ／ｎｃｇ）
但し、
ｎｓ  ：試料媒質の屈折率
ｎｃｇ：カバーグラス３６の屈折率
この式（Ａ）より円弧の半径Ｒは、次式（Ｂ）で求められる。
（Ｂ）  Ｒ＝ｓｉｎ（θＢ）×ｎ−ｏｉｌ×ｆ
但し、
ｎ−ｏｉｌ：対物レンズ７の浸液（オイル４０）の屈折率（いわゆる乾燥系対物レンズの場合はｎ−ｏｉｌ＝１）
ｆ    ：対物レンズ７の焦点距離
さらに、試料１５には、培養液３９中の微小細胞構造（３５）がカバーグラス３６に張り付いているものを想定する。
このとき、ｎｓ＝１．３３、ｎｃｇ＝１．５１とすれば、ブリュースター角θＢは、上記式（Ａ）よりθＢ＝４１．３°となる。このとき、円弧の半径Ｒは、ｎ−ｏｉｌ＝１．５１とすれば、上記式（Ｂ）よりＲ／ｆ＝０．９９７となる。
また、式（Ｂ）を変形し、Ｒ／ｆ＝ｎ−ｏｉｌ×ｓｉｎ（θＢ）とすれば、Ｒ／ｆはまた対物レンズのＮＡを表す。したがって式（Ｂ）から、本発明の照明が実現できる対物レンズのＮＡを導き出すことができ、上記数値例の場合、ＮＡ≧１の液浸対物レンズを用いればよいことがわかる。
ここで、微小細胞構造（３５）の屈折率をｎｃｅ１１＝１．３５とすれば、背景光即ち試料媒質からの反射光と、信号光即ち微小細胞構造（３５）からの反射光とは、それぞれフレネルの反射係数の式及び単層薄膜の反射係数の式を用いて求めることができる。
図１１は、スリット２９の半径方向の幅δｒ＝０のときに、スリット２９を半径方向へ移動させることによって照明光束の入射角度θを変化させた際の背景光と信号光の強度変化を示すグラフである。なお、図中の「ｔ」は微小細胞構造（３５）の厚さを表している。
この図１１より、ブリュースター角θＢ＝４１．３°近傍において背景光の強度は約１０−８〜１０−７、信号光の強度は１０−５〜１０−４であることから、Ｓ／Ｂ比が約１０３程度の良好なコントラスト像が得られることがわかる。
ここで、実際の倒立顕微鏡１においてスリット２９の半径方向の幅δｒがδｒ＝０であると、照明光が遮断されてしまうこととなるため、半径方向の幅δｒは０でない有限の値となる。このような半径方向の幅δｒは、その値を大きく設定すればするほど照明光が明るくなるため明るい観察像を得ることができる。そしてまた、半径方向の幅δｒの値を大きく設定すればするほど照明光のコヒーレンスを低下させることができるため、観察像の背景に生じる干渉縞ノイズを低減することができる。
しかしながら、スリット２９の半径方向の幅δｒをさらに大きくしていけば、照明光束には、入射角度θで試料１５に入射する照明光に、入射角度がθからずれた光が含まれることとなり、その結果、観察像のコントラストが低下してしまうという問題がある。このため、半径方向の幅δｒを過度に大きく設定することはできず、上限値が存在することとなる。
なお、前述の「入射角度がθからずれた光」の角度のずれを、本明細書では「角度ばらつき」という。
図１２は、スリット２９の半径方向の幅δｒを変化させた際の角度ばらつきの最大値δθを示すグラフである。なお、照明光の入射角度θはブリュースター角をθＢとし、図中の横軸はδｒを対物レンズ７の焦点距離ｆで規格化している。
この図１２より、角度ばらつきの最大値δθは、δｒ／ｆに略比例して増大することがわかり、δｒ／ｆ＝０．０３のとき角度ばらつきの最大値δθは約０．７５°、δｒ／ｆ＝０．０６のとき角度ばらつきの最大値δθは約１．５°となる。
このように、スリット２９の半径方向の幅δｒがある有限の値であれば、背景光及び信号光は、図１２で求めた角度ばらつきの最大値δθの範囲で図１１のグラフを積分した値となる。
例えば、図１３Ａ、図１３Ｂには、δｒ／ｆ＝０．０３、δｒ／ｆ＝０．０６のときの図１１に相当するグラフ（スリット２９を半径方向に移動させて照明光束の入射角度θを変化させた場合の背景光と信号光の強度変化グラフ）をそれぞれ示している。
図１３Ａ及び図１３Ｂより、スリット２９の半径方向の幅δｒが大きくなると、図１１においてブリュースター角近傍で見られた背景光及び信号光の落ち込みカーブが次第に緩くなり、これらの強度の差も小さくなることがわかる。そして、半径方向の幅δｒがさらに大きくなれば、背景光の強度と信号光の強度とが逆転するような半径方向の幅δｒの上限値が存在することが予想される。したがって、信号光の強度よりも背景光の強度が大きくなると信号（観察像）が背景に埋もれて検出することができなくなってしまうため、これらの強度が逆転する半径方向の幅δｒの値が上限値となる。
図１４は、照明光の入射角度θをブリュースター角度θＢとしてδｒ／ｆを変化させた際の背景光と信号光の強度変化を示すグラフである。
この図１４より、背景光と信号光の強度は、δｒ／ｆ＝０．０６近傍で逆転していることがわかる。したがってこの値が好ましいスリット２９の半径方向の幅δｒの上限値となり、次の条件式（１）が導かれる。
（１）  ０＜δｒ≦０．０６×ｆ
但し、
δｒ：スリット２９の半径方向の幅
ｆ  ：対物レンズ７の焦点距離
また、さらに好ましくは、半径方向の幅δｒの範囲を条件式（１’）とすることによって、信号光の強度が背景光の強度の約２倍となり、より良好なコントラストの観察像を得ることができる。
（１’）  ０＜δｒ≦０．０３×ｆ
但し、
δｒ：スリット２９の半径方向の幅δｒ
ｆ  ：対物レンズ７の焦点距離
また、スリット２９の半径方向の幅δｒの下限値は、δｒ≠０を満足する任意の値を設定することが可能である。これは、半径方向の幅δｒを小さく設定すればするほど観察像が暗くなるが、より感度の良い撮像素子を用いることで信号光の検出自体は可能となるためである。
しかしながら、このとき観察像のコントラストは高くなりＳ／Ｂ比は図１１で述べた約１０３に近づくものの、この一方では照明光のコヒーレンスが高くなり、試料１５における構造や屈折率が大きく変化する部位で干渉縞が発生してしまい、これによってＳ／Ｎ比が低下してしまうという問題が生じてしまう。
したがって、観察像におけるコントラストと干渉縞ノイズとはトレードオフの関係にあるため、スリット２９の半径方向の幅δｒの値は、顕微鏡の構成やその用途に応じて、条件式（１）から条件式（１’）を満足する範囲内で最適な値を選択することが最も好ましい。
次に、スリット２９の円弧の中心角φについては、当該中心角φを大きく設定すればするほど照明光である直線偏光（ｐ偏光）にｓ偏光が含まれることとなり、この結果、背景が明るくなり試料１５の観察像のコントラストが低下してしまうことから、ｐ偏光とｓ偏光の強度比を計算することによって中心角φの最大値を求めることができる。
図１５は、スリット２９の半径方向の幅δｒを無限小と仮定し、中心角φのみを大きくした際に照明光に含まれるｐ偏光とｓ偏光の強度比を示すグラフである。
また、図１６は、上記図１１と同じ条件の試料１５に対して入射角度θを変化させながら照明光を入射させた際のｐ偏光及びｓ偏光の強度反射率を示すグラフである。なお、ｐ偏光については、上述のように半径方向の幅δｒを有限の値に設定すればブリュースター角近傍において落ち込みカーブが大幅に緩くなることがわかっているため、δｒ／ｆ＝０．０３、及びδｒ／ｆ＝０．０６の場合も計算している。
図１６より、スリット２９の半径方向の幅δｒがδｒ／ｆ＝０．０３、δｒ／ｆ＝０．０６を満足するとき、ブリュースター角θＢ（＝４１．３°）におけるｐ偏光の強度反射率は約１０−５〜１０−４であり、ｓ偏光の強度反射率は約１０−２であることがわかる。そしてこのことから、ｓ偏光の強度反射率がｐ偏光の強度反射率よりも大きくならない条件として、試料１５にブリュースター角θＢで入射する照明光においてｐ偏光にはｓ偏光の少なくとも約１００倍の強度が必要であることがわかる。
したがって図１５より、ｐ偏光とｓ偏光の強度比が１００となるスリット２９の中心角（円弧の角度）φは約２０°であることから、次の条件式（２）に示すようにこの値が中心角φの上限値となる。
（２）  ０＜φ≦２０°
但し、
φ：スリット２９の中心角
また、さらに好ましくは、次の条件式（２’）を満足することで、試料１５の観察像のコントラストをより向上することができる。
（２’）  ０＜φ≦１０°
但し、
φ：スリット２９の中心角
なお、上述の条件式（１）又は条件式（１’）と、条件式（２）又は条件式（２’）を満足するスリット２９によって、ブリュースター観察のみでなく表面プラズモン観察や全反射蛍光観察を行う際にも良好な観察像を得ることができる。
以上、本実施形態に係る倒立顕微鏡１の開口絞りユニット２０に備えられているスリット２９は、上述の設計条件（条件式（１）及び条件式（２））を満足するように設計されている。これにより本実施形態に係る倒立顕微鏡１は、ブリュースター観察、表面プラズモン観察、及び全反射蛍光観察に際して、干渉縞の発生を抑えコントラストの高い良好な観察像を得ることができる。なお、条件式（１’）及び条件式（２’）を満足するようにスリット２９を設計すれば、上記各観察に際して干渉縞の発生をより良好に抑えコントラストがより高い観察像を得ることができる。
ここで、本実施形態に係る倒立顕微鏡１の開口絞りユニット２０に備えられているスリット２９は、上述の構成に限られるものでないため、以下にその態様を説明する。
本実施形態に係る倒立顕微鏡１の開口絞りユニット２０に備えられているスリット２９は、図１０Ｂに示すように上記条件式（１）及び条件式（２）を満足する複数の円弧形状のスリットを光軸ＡＸから等距離に配置し、さらに各スリットのそれぞれに偏光板（ポラライザー）を配置し、その偏光方向が各スリットの略中心部分と光軸ＡＸを結ぶ直線に対して平行（ｐ偏光）な構成とすることもできる。このとき偏光板の配置はスリットの直前もしくは直後のいずれでも良いが、各スリットを通過する光をそれぞれ正しい偏光方向に変換するためには、偏光板をスリットのごく近傍に配置することが望ましい。
そして斯かる構成において、各スリットを１つのモジュールとして一方向へ移動して照明角度を変更することで、様々な屈折率を有する試料のブリュースター観察、表面プラズモン観察、及び全反射蛍光観察等を実施する場合には、円弧形状である各スリットの曲率による誤差が大きくなってしまうため、各スリットの中心角φの合計が２５°以内となるように設計すれば、複数のスリットが全体として条件式（１）を略満足することとなるためより好ましい。特に、各スリットの中心角φの合計が１３°以内となるように設計すれば、複数のスリットが全体として条件式（１’）を略満足することとなるためさらに好ましい。
またさらに、前述のように複数のスリットを１つのモジュールとして一方向へ移動する構成とした場合には各スリットの中心角φの合計に制約が生じるため、複数のスリットをそれぞれ別のモジュールとして各スリットを半径方向へ移動する構成とすることもできる。特に、操作性の観点から、複数のスリットは連動して移動可能であることが好ましい。
またこの他には、円弧の半径Ｒが異なるスリットを備えたスリット板を予め複数枚用意しておき、観察条件にあわせてこのスリット板をターレットやスライド等によって切り替える構成とすることもできる。この場合、スリットの中心角φの合計が３６０°となるようにスリットを設置することもできる。
また、本実施形態に係る倒立顕微鏡１において、開口絞りユニット２０のスリット２９と偏光素子（ポラライザー３０）とを光軸ＡＸを中心に高速回転させる構成とすることによって、上述したようなスリットを半径方向へ移動させる構成において生じていたスリットの中心角φの制約を解消することができる。
より具体的には、半径方向の幅δｒが条件式（１）又は条件式（１’）を満足する１つ又は複数のスリットをモータ等の回転機構で高速回転させることで、試料側から見れば開口が円周全体にわたって設けられていることと同等の状態で観察を行うことができる。なおこのとき、スリットと偏光素子の回転速度は同じである必要があるため、スリットと偏光素子を同期して回転させる構成、又はスリットと偏光素子を１つのモジュールとして回転させる構成とすることが好ましい。
なお、以上のように本実施形態に係る倒立顕微鏡１では開口絞りユニット２０に備えられた微小開口部として円弧形状のスリットを示しているが、この微小開口部の形状はこれに限られず、上記条件式（１）及び条件式（２）を満足する円弧形状内に含まれるものであれば、例えば矩形や楕円形等であってもよい。
また、本実施形態に係る倒立顕微鏡１において、照明光がｓ偏光となるようにポラライザー３０の向きを９０°回転する、又はポラライザー３０自体を切り替えることによって、本倒立顕微鏡１をｓ偏光による多重干渉顕微鏡として使用することもできる。或いは、ポラライザー３０の向きを４５°回転して偏光方向をｐ偏光とｓ偏光の中間に設定することによって、ブリュースター観察による観察像や表面プラズモン観察による観察像と、多重干渉観察による観察像とを重ね合わせて観察する構成とすることもできる。スリット２９が図１０Ｂに示すように複数の円弧形状のスリットからなる場合には、各スリットのそれぞれに配置する偏光板を、その偏光方向が対応するスリットの略中心部分と光軸ＡＸを結ぶ直線に対して垂直（ｓ偏光）あるいは４５°となるように配置する。偏光板を１つのユニットとして挿脱切り替え可能な構成とすることにより、スリット２９が複数の円弧形状スリットで構成される場合においてもｐ偏光、ｓ偏光及び中間の設定による観察像を切り替えて観察することが可能となる。
また、本実施形態に係る倒立顕微鏡１において、落射照明装置５に回転拡散板を配置することによって、さらなる干渉縞低減効果を実現することもできる。この場合、照明光は回転拡散板を通過した後で、ポラライザー３０によって直線偏光に変換されることが好ましい。特に、試料１５に対して入射角度θで照射される照明光の角度ばらつきを小さく抑えるためには、回転拡散板をスリット２９の手前（開口絞りユニット２０の水銀ランプ１６側近傍）に配置することが好ましい。一方、角度ばらつきよりも干渉縞低減効果を優先する場合には、回転拡散板をスリット２９の後ろ（開口絞りユニット２０のポラライザー３０側近傍）に配置することが好ましい。
さらには、本実施形態に係る倒立顕微鏡１において、水銀ランプ１６からの照明光を光路長の異なる光ファイバを束ねたマルチバンドルファイバを経由させる構成とすることによって、前述の回転拡散板と同様の効果を実現することもできる。
以上より本実施形態によれば、照明光を試料に対して大きな入射角度で照射する構成の顕微鏡であって、干渉縞の発生を良好に抑えた顕微鏡を実現することができる。
【図１】
2007004708.tif 000002
【図２】
2007004708.tif 000003
【図３Ａ】
2007004708.tif 000004
【図３Ｂ】
2007004708.tif 000005
【図３Ｃ】
2007004708.tif 000006
【図４】
2007004708.tif 000007
【図５】
2007004708.tif 000008
【図６】
2007004708.tif 000009
【図７】
2007004708.tif 000010
【図８】
2007004708.tif 000011
【図９】
2007004708.tif 000012
【図１０Ａ】
2007004708.tif 000013
【図１０Ｂ】
2007004708.tif 000014
【図１０Ｃ】
2007004708.tif 000015
【図１１】
2007004708.tif 000016
【図１２】
2007004708.tif 000017
【図１３Ａ】
2007004708.tif 000018
【図１３Ｂ】
2007004708.tif 000019
【図１４】
2007004708.tif 000020
【図１５】
2007004708.tif 000021
【図１６】
2007004708.tif 000022
【国際調査報告】
2007004708.tif 000023
2007004708.tif 000024
2007004708.tif 000025
2007004708.tif 000026